(57)【要約】【課題】照度センサを利用してツマミ類を一切必要としないで、マイコンに調光指示等の命令入力を与えることができる照度センサによる照明点灯制御方法及びその照明器具を提供することである。【解決手段】照度センサによる照明点灯制御方法は、周囲の照度を検出する照度センサＩＣ5の出力を監視し、その出力が急変することを捉えて、照明器具の点灯制御動作のためのコマンドを生成することを特徴とする。【選択図】図３
2012084362.tif 000002
【特許請求の範囲】
【請求項１】
周囲の照度を検出する照度センサの出力を監視し、その出力が急変することを捉えて、照明器具の点灯制御動作のためのコマンドを生成する
ことを特徴とする照度センサによる照明点灯制御方法。
【請求項２】
照明負荷と、
周囲の照度を検出する照度センサと、
前記照度センサの出力を監視し、その出力が急変することを捉えて前記照明負荷の点灯制御動作のコマンドを生成する制御部と、
を具備したことを特徴とする照明器具。
【請求項３】
前記制御部は、前記コマンドとしてパルス幅変調信号を作成して前記照明負荷を調光制御することを特徴とする請求項２に記載の照明器具。
【請求項４】
前記制御部は、前記コマンドとして照明用電源電圧を変化させて前記照明負荷を調光制御することを特徴とする請求項２に記載の照明器具。
【請求項５】
前記照明負荷として、器具本体の複数の点灯面に対応した複数の照明負荷を具備し、
前記制御部は、前記コマンドとして前記複数の照明負荷を切り換え制御して前記点灯面を変更することを特徴とする請求項２に記載の照明器具。
【請求項６】
前記照明負荷として、複数の点灯色に対応した複数の照明負荷を具備し、
前記制御部は、前記コマンドとして前記複数の照明負荷を切り換え制御して前記点灯色を変更することを特徴とする請求項２に記載の照明器具。
【請求項７】
点灯色に対応した照明負荷を２つ以上組み合わせて混色点灯し、その点灯色の混色を変更制御することを特徴とする請求項６に記載の照明器具。
【発明の詳細な説明】
【技術分野】
【０００１】
本発明は、照度センサを利用して各種の点灯制御動作のコマンドを作り出す照度センサによる照明点灯制御方法及びその照明器具に関する。
【背景技術】
【０００２】
従来ＬＥＤ照明器具の段調光、点灯色変更および点灯面変更するためには、可変抵抗器、機械式スイッチ等によって制御回路のマイコンに指示を与えることによりパルス幅調光回路のパルス幅を可変させたり、ＬＥＤをオンオフするスイッチング素子を制御したりしていた。このため、照明器具には可変抵抗器やスイッチ等の操作を容易に行えるように、ツマミ類が照明器具に必要となり、ツマミ類の機構部が照明器具の前面や側面等の外部に突き出るため、デザイン上の種々の制約があった。また部品点数が増えるためコスト面でも問題があった。
【０００３】
また、人感センサにより自動点灯するＬＥＤ照明器具には、周囲の照度を計測する照度センサが実装され、人感信号との論理積で点灯指令を出す方法が一般的である。これは、自動点灯する照明器具では昼間の明るい場合は点灯させないようにするためである。この照度センサは最近ではフォトダイオード型のものが一般的である。その他の光電変換素子としてＣｄＳやフォトトランジスタ等がある。フォトトランジスタはフォトダイオードに比して相対受光感度の温度変化大きいので、照度センサとして利用されていない。
【０００４】
この照度センサヘの入力光は、照明器具の化粧板２２の一部に形成した３〜５mm径程度の丸穴に装着された、周辺外光を導入する外光導入ガイド２１としての透明な円柱形アクリル樹脂を介して照度センサＩＣ5に外来光を導いている(図１の構成例参照)。このため照度センサ付き照明器具の外部には、ツマミ類のような操作用の機構部品が突き出る構造物は存在しない。
【０００５】
ところで、従来の照度センサ付きの自動スイッチとしては、例えば特許文献１及び特許文献２に開示されているものがある。これらの自動スイッチでは、照明器具などの負荷を周囲の明るさに応じて点灯動作させる際に、周囲の明るさを判定するための基準値(閾値)を手動的に切り換えたり調整したりする構成のみが開示されている。これらの特許文献を含めた先行技術文献には、ツマミ類を一切必要としないで、マイコンに明るさ調整等の命令入力(コマンド)を与える方法に関する技術については、開示されているものがない。
【先行技術文献】
【特許文献】
【０００６】
【特許文献１】特許第３５９６３０９号公報
【特許文献２】特許第４１３４１２５号公報
【発明の概要】
【発明が解決しようとする課題】
【０００７】
本発明は、照度センサを利用してツマミ類を一切必要としないで、マイコンに調光指示等の命令入力を与えることができる照度センサによる照明点灯制御方法及びその照明器具を提供することを目的としている。
【課題を解決するための手段】
【０００８】
本発明の照度センサによる照明点灯制御方法は、周囲の照度を検出する照度センサの出力を監視し、その出力が急変することを捉えて、照明器具の点灯制御動作のためのコマンドを生成することを特徴とする。
【発明の効果】
【０００９】
本発明によれば、照度センサを利用してツマミ類を一切必要としないで、マイコンに調光指示等の命令入力を与えることができる照度センサによる照明点灯制御方法及びその照明器具を提供することを実現できる。
【図面の簡単な説明】
【００１０】
【図１】図１乃至図９は本発明の第１の実施形態に係る照度センサによる照明点灯制御方法を説明する図であり、図１は照明器具における一般的な外光取り入れ口の構成例を示す図。
【図２】フォトダイオードを利用した照度センサの照度対光電流の特性を示す図。
【図３】フォトダイオードを利用した照度センサの照度計測回路の構成を示す図。
【図４】フォトダイオードを利用した照度センサの外光取り入れ口を指で塞いだ際の、照度変化特性を示す図。
【図５】ＣｄＳの照度対抵抗値の特性を示す図。
【図６】ＣｄＳを利用した照度計測回路の構成を示す図。
【図７】ＣｄＳを利用した照度センサの外光取り入れ口を指で塞いだ際の、照度変化特性を示す図。
【図８】フォトダイオードを利用した照度センサの外光取り入れ口を指で塞いだ際の、照度変化特性を示す図。
【図９】照度センサの照度変化特性から、センサ正面を人体や物体が比較的長時間塞いだような状態と区別して、外光取り入れ口を人が操作目的で指で塞いだ状態を識別判定する方法の一例を説明する図。
【図１０】本発明の第２の実施形態に係る照明器具の構成を示す回路図。
【図１１】本発明の第３の実施形態に係る照明器具の構成を示す回路図。
【図１２】本発明の第４の実施形態に係る照明器具の構成を示す回路図。
【図１３】本発明の第５の実施形態に係る照明器具の構成を示す回路図
【図１４】本発明の第６の実施形態に係る照明器具の外光取り入れ口の構成を示す図。
【発明を実施するための形態】
【００１１】
以下、本発明の実施の形態について図面を参照して詳細に説明する。  
［第１の実施形態］
図１乃至図９は本発明の第１の実施形態に係る照度センサによる照明点灯制御方法を説明する図である。図１は従来の構成例でもあるが、本発明の第１の実施形態においても、一般的な構成例として採用している。  
図１において、(a)は照明器具の正面図の一部を示し、(b)は(a)のＡ−Ａ線断面図を示している。外光は化粧板２２に空けた丸穴に挿着された外光導入ガイド２１を通過してプリント基板２３上の照度センサＩＣ5に受光される。
【００１２】
図２はフォトダイオードを利用した照度センサの照度対光電流の特性を示す。照度センサＩＣ5の出力端子に図３のように抵抗Ｒを接続し、照度センサＩＣ5のカソードを電源Ｖddに接続すると、抵抗Ｒの両端には周辺照度に比例した出力が発生し、この出力をマイコンＩＣ2のＡＤ変換入力端子に接続する。
【００１３】
実際の照明器具では図１に示すように照度センサＩＣ5が取り付けられており、照度センサＩＣ5の上部に円柱形のアクリル樹脂２１が装着され、照明器具の外部の周辺の光がセンサ部に取り込まれるようになっている。円柱形のアクリル樹脂２１を含む外光取り込れ口の上部を指等で塞ぐと図４のように照度センサＩＣ5の出力は大きく変化する。
【００１４】
なお、光電変換素子にＣｄＳを採用した場合、ＣｄＳの照度対抵抗値の特性は図５のようになっているのでＣｄＳを利用した照度計測回路構成は図６のようになる。電源Ｖddから直列抵抗Ｒと直列にＣｄＳを接続して、ＣｄＳの両端の電圧をマイコンＩＣ２のＡＤ変換端子に加える。
【００１５】
図７は外光取り入れ口を指で塞いで元に復帰させた場合の電圧変化を示す。図３及び図，４と比較すれば、明らかにフォトダイオードタイプとＣｄＳの特性は正反対なので、フォトダイオード型での説明を以下に示し、ＣｄＳ型はその逆の処理でよいのでその説明は省略する。
【００１６】
マイコンＩＣ2のＡＤ変換サイクル(ＡＤ変換のサンプリング周期と同義)をＴadミリ秒とすると１秒間に１／Ｔad回照度センサＩＣ5の出力がＡＤ変換される。図８は、フォトダイオードを利用した照度センサの外光取り入れ口を指で塞いだ際の、照度変化特性の状態を示している。同図で‘イ’の状態が照度センサＩＣ5を指で塞ぐ前の状態とし、‘ロ’が完全に塞がれて照度センサの出力が最低値を示す状態で‘ハ’は指が離され元の状態に戻った状態を示す。
【００１７】
‘イ’の状態から一定以上の電圧変化が発生したら、照度センサが指で塞がれ、その後元に復帰された状態をマイコンのＡＤ変換値を処理することでその結果でなんらかのアクションの指令信号とすることができる。このようにすれば、照明器具に操作用のツマミ類が無くても照明器具の点灯状態を変化させる指令が得られることになる。
【００１８】
図８からも分かるように、各サイクル毎のＡＤ変換データを比較しただけでは．ゆっくりとした照度センサの出力変化を判断できない。そこで、ＡＤ変換データをｎ個保持する即ち、現時点ｔ＝０時からｔ＝ｎ／Ｔad前の過去のデータまでをマイコンのＲＡＭ領域に記録させて、毎サイクル毎に１つ前のサイクルの古いデータを順送りにシフトして上書きする。このようにすれば、常に現時点からｎ／Tad時間前までのｎ個のデータが保管される。ここで各サイクル毎にｔ＝０とｔ＝−ｎ／Ｔadの両端のデータを比較して両端のデータの差が一定値を越せば、照度センサの出力が急変したと判断させることが可能である。外光取り入れ口を人が操作目的で比較的短時間指で塞いだ時は、照度センサの出力が急変するので、これによって人が操作目的で外光取り入れ口を指で塞いだと判定可能であるので、これについて図９で説明する。
【００１９】
図９は、照度センサの照度変化特性から、センサ正面を人体や物体が比較的長時間塞いだような状態と区別して、外光取り入れ口を人が操作目的で指で塞いだ状態を識別判定する方法の一例を説明する図である。今、照度センサの外光取り入れロに指を近づけた時点を(1)とすると、この時点では両データの差は殆ど無い。更に指が外光取り入れ口に近づき、照度センサの出力が大きく落ち込み始めた点(2)とすると、この時点での両データの差も一定値以下だとすると、マイコンの出力には変化が生じない。更に、指が外光取り入れ口をほぼ完全に塞ぎはじめた点(3)とすると、この時点では両データの差が一定値を越す。この時の−ｎ／Ｔad時のデータを保存しておく。またマイコンのタイマー機能を動作させて−ｎ／Ｔad時のデータとほぼ一致するまでの時間を計測する。外光取り入れ口の指が離れると照度センサの出力は復帰状態となる。図９の(4)が復帰した点とし、(3)から(4)間の経過時間が比較的短時間ｔ秒(例えば２秒)であれば、明らかに照度センサを指等で意識的に塞がれたと判定できる。このように、ＡＤ変換データ処理と復帰までの経過時間の制約を満足したら、マイコンは照度センサが指で塞がれたと判断し、マイコンは決められた動作出力を立ち上げることになる。
【００２０】
即ち、照度センサの出力変動を現時点のＡＤ変換データとｎ／Ｔad時間前のＡＤ変換データとの差で検定することでその差が一定値を超えたか否かと所定のｔ秒程度の短時間で元の値に戻ったと判定できれば、所定のコマンドを立ち上げることが確実に行える。
【００２１】
このように、照度センサを利用してツマミ類を一切必要としないで、マイコンに調光指示等の命令入力(コマンド)を与えることができる照度センサによる照明点灯制御方法を提供できる。
【００２２】
以下にこのコマンドを利用した実施形態を説明する。  
[第２の実施形態]
図１０は本発明の第２の実施形態に係る照明器具の構成を示す回路図である。本実施形態は、図１乃至図９に示した照明点灯制御方法を利用して照明器具のＰＷＭ型段調光を行う構成例を示している。
【００２３】
図１０において、照明器具１０は、交流端子１と、交流端子２と、交流電源ＡＣにより整流化した直流電源電圧を得て、ＬＥＤ照明部１５，制御部１４及び人感検知部１２に供給するための電源部１１と、電源部１１からの整流直流電圧を電源として動作し、焦電センサで構成される人感センサＰＥＤを含み、人体からの赤外線を検知しその出力を増幅する人感検知部１２と、照度検知部１３と、制御部１４と、照明負荷としての少なくとも１つのＬＥＤ又はＬＥＤ群とスイッチ素子Ｑ1とを含むＬＥＤ照明部１５とを備えている。
【００２４】
上記照度検知部１３は、人体を検知したときに点灯する際の前提条件として、周囲の明るさ(照度)が所定値(しきい値)より低い(暗い)ときにＬＥＤ照明部１５のＬＥＤ群を自動点灯させるために、周囲の明るさを検出(測定)する。照度検知部１３は、照度センサＩＣ5と抵抗Ｒ23とコンデンサＣ10とを備えて構成され、そのセンサ出力がマイコンＩＣ2のＡＤ変換入力端子に供給されて周囲照度が検出される。
【００２５】
上記電源部１１は、商用交流電源ＡＣ(図示略)に基づいた二系統の電源回路を有している。交流端子１と交流端子２との間には、バリスター等のサージ吸収素子ＺＮＲと、コンデンサＣ1とが並列に接続されている。二系統の電源回路のうちの第１の電源回路は、ＬＥＤ照明部１５の整流電源回路であって、交流端子１と交流端子２との間に、抵抗Ｒ1と、抵抗Ｒ2及びコンデンサＣ2の並列回路と、全波整流回路である全波整流ダイオードブリッジＤＢとが直列に接続され、全波整流ダイオードブリッジＤＢの＋端子から出力される全波整流出力はＬＥＤ照明部１５内に入り、電流制限用抵抗Ｒ5を介して複数(図では４個)のＬＥＤを直列接続したＬＥＤ群の入力端に供給される。なお、全波整流ダイオードブリッジＤＢの−端子は、全波整流回路ＤＢの二次側(直流出力側)の基準電位点(ＧＮＤ)として機能する。
【００２６】
二系統の電源回路のうちの第２の電源回路は、人感検知部１２，照度検知部１３及び制御部１４の電源回路であって、交流端子１と交流端子２との間に、抵抗Ｒ3，Ｒ4及びダイオードＤ1，Ｄ2による半波整流回路が形成され、その整流出力端には定電圧ダイオードＺＤ及び充電コンデンサＣ3の並列回路が接続され、その定電圧出力はレギュレータ用の直流電源電圧としてレギュレータＩＣ1に供給され、レギュレータＩＣ1の出力側に並列接続されたコンデンサＣ4を介して安定化直流電源電圧として出力され、人感検知部１２，照度検知部１３及び制御部１４に供給される。
【００２７】
ＬＥＤ照明部１５は複数のＬＥＤと抵抗Ｒ5の直列回路とこれに並列接続した定電圧ダイオードＺＤ2とを備え、その出力端はＮＭＯＳＦＥＴなどのスイッチ素子Ｑ1のドレインに接続し、そのソースは全波整流ダイオードブリッジＤＢの−端子に接続している。スイッチ素子Ｑ1のゲートには、制御部１４からの点灯制御信号であるＰＷＭ信号が供給される。スイッチ素子Ｑ1としては、ＳＣＲを用いることも可能であるが、ＭＯＳＦＥＴに比べて消灯時のオフ動作に若干時間を要する。
【００２８】
本実施形態では、上記スイッチ素子Ｑ1は、ＬＥＤ照明部１５内に設けられ、制御部１４からの点灯制御信号であるパルス幅変調信号(以下、ＰＷＭ信号)のに基づいて、ＬＥＤ群を調光点灯させる。
【００２９】
人感検知部１２は、前方に集光レンズを配した焦電センサと呼ばれる人感センサＰＥＤと、そのセンサ出力を数千倍に増幅する増幅部３１と、を有して構成されている。
【００３０】
人感センサＰＥＤは、人体から放射される熱線である赤外線を検出し、微弱な電圧として出力することができる。人感センサＰＥＤは第１〜第３の３本の端子を備えており、第１の端子には前記レギュレータＩＣ1の出力電圧ＶDを抵抗Ｒ14を介して供給し、第２の端子には基準電位点GNDのラインが接続し、第３の端子からは、赤外線を検出した時にこれに対応した微弱な検知電圧がセンサ出力として出力される。センサ出力は、抵抗Ｒ15，抵抗Ｒ16及びコンデンサＣ5からなる入力回路を経てオペアンプＩＣ3，コンデンサＣ7，Ｃ6，抵抗Ｒ18，Ｒ17からなる第１段増幅部で増幅され、さらに抵抗Ｒ19，コンデンサＣ8，オペアンプＩＣ4，コンデンサＣ9，抵抗Ｒ20，分圧抵抗Ｒ21，Ｒ22からなる第２段増幅部で増幅されることによって数千倍に増幅され、人感信号としてマイコンＩＣ2のＡＤ変換入力端子に入力される。
【００３１】
上記の構成において、照度検知部１３の照度センサＩＣ5の出力端に抵抗Ｒ23が接続され、抵抗Ｒ23の両端の電位が制御部１４のマイコンＩＣ２のＡＤ変換入力端子に供給される。ＬＥＤ照明部１５の照明用ＬＥＤはスイッチング用MOSFETＱ1のドレインに接続され、人感検知部１２で人を検知した場合、スイッチ素子Ｑ１のゲートにマイコンＩＣ2の出力端子からＰＷＭ信号が加えられる。ＰＷＭ信号は１００ｈｚから１０Ｋｈｚの周波数でパルス信号のデューティを例えば３０％から１００％まで可変するとする。現在３０％程度のデューティのパルス信号で照明用ＬＥＤが点灯している状態で、もう少し明るく点灯させたい場合、照度センサＩＣ5の外光取り入れ口を所定時間指で塞ぐと、パルス幅変調ＰＷＭのデューティを変化させたコマンドが立ち上がり、例えばデューティ５０％のＰＷＭ信号がＱ1のゲートにマイコンＩＣ2から出力され、照明用ＬＥＤが今までより明るく点灯させることが出来る。更に明るくしたければ、もう一度照度センサＩＣ5の外光取り入れ口を所定時間指で塞ぎ照度センサＩＣ5の出力を強制的に変化させることで例えば１００%デューティのコマンドを立ち上げ、ＬＥＤを最高輝度で点灯させ得る。このように、照明用ＬＥＤの点灯照度を照度センサＩＣ5の外光取り入れ口を所定時間指で塞ぐだけで照明器具の段調光が簡単に操作可能となる。  
このように、コマンドとしてＰＷＭ信号を作成して照明負荷を調光制御することができる。
【００３２】
[第３の実施形態]
図１１は本発明の第３の実施形態に係る照明器具の構成を示す回路図である。本実施形態は、図１乃至図９に示した照明点灯制御方法を利用して照明器具の照明用電源電圧制御型段調光を行う構成例を示している。図１０と同一部分には同一符号を付してある。
【００３３】
図１１における照明器具１０Ａは、照明用電源電圧を生成するＡＣ−ＤＣコンバータ部１１Ａと、検知部及び制御部用の安定化直流電源電圧を生成する制御用直流電源部１１Ｂと、人感検知部１２と、照度検知部１３と、制御部１４Ａと、ＬＥＤ照明部１５Ａとを備える。
【００３４】
ＡＣ−ＤＣコンバータ部１１Ａは、全波整流ダイオードブリッジＤＢからの全波整流電圧をさらにスイッチングトランジスタＱ2，トランスＴｒ2，整流ダイオードＤ2及びス平滑コンデンサＣ3を含むスイッチングレギュレータを有し、その出力電圧をスイッチングトランジスタＱ2のゲートに供給するスイッチング信号の周波数で可変制御可能としている。制御用直流電源部１１Ｂは、ＡＣ−ＤＣコンバータ部１１Ａの出力電圧を入力とする３端子レギュレータＩＣ1と、平滑コンデンサＣ4から構成され、人感検知部１２、照度検知部１３及び制御部１４Ａに直流電源電圧を供給する。
【００３５】
図１１の構成においては、ＡＣ−ＤＣコンバータ部１１ＡのスイッチングトランジスタＱ2を一定の周波数ｆ１でチョッピングし、その出力電圧Ｖ１を抵抗Ｒ1，Ｒ2で分割した出力電圧Ｖ0をマイコンＩＣ2のＡＤ変換入力部に加えモニターする。その時の出力電圧Ｖ１でＬＥＤ照明部１５ＡのＬＥＤを点灯させる。このチョッピング周波数(スイッチング周波数に相当)を照度検知部１３の照度センサＩＣ5を指で塞ぐことで、ｆ１からｆ２に変更させると、ＡＣ−ＤＣコンバータ部１１Ａの出力電圧がＶ２に変わり、ＬＥＤ照明部１５Ａの電源電圧が変わることによって照明の明るさが変更される。ＬＥＤの点灯は人感検知部１２で人を検知した時点でその検知出力が制御部１４ＡのマイコンＩＣ2に伝達されＩＣ2からの点灯制御信号によりＬＥＤ照明部１５ＡのトランジスタＱ1をオンオフ制御する。なお、このときスイッチングトランジスタＱ1のゲートに供給される点灯制御信号は、ＰＷＭ信号ではなく、ハイレベル及びローレベルのオン信号及びオフ信号である。
【００３６】
このように、コマンドとして照明用電源電圧を変化させて照明負荷を調光制御することができる。
【００３７】
[第４の実施形態]
図１２は本発明の第４の実施形態に係る照明器具の構成を示す回路図である。本実施形態は、図１乃至図９に示した照明点灯制御方法を利用して照明負荷の点灯面切り換えを行う構成例を示している。図１０と同一部分には同一符号を付してある。
【００３８】
図１２における照明器具１０Ｂは、電源部１１と、人感検知部１２と、照度検知部１３と、制御部１４Ｂと、ＬＥＤ照明部１５Ｂとを備える。
【００３９】
照明器具の全面、側面、天面および底面に実装されたＬＥＤ照明部１５Ｂを構成する複数の照明用ＬＥＤ群、ここでは例えばスイッチ素子Ｑ１で制御されるＬＥＤ群が正面を照らし、スイッチ素子Ｑ２で制御されるＬＥＤ群が側面を照らし、スイッチ素子Ｑ３で制御されるＬＥＤ群が天面を照らし、スイッチ素子Ｑ４で制御されるＬＥＤ群が底面を照らすとする。現在正面のＱ１が選択されているとすれば、人感検知部１２が人を検知した時点でＬＥＤ照明部１５Ｂの正面が点灯する。ここで照度検知部３の照度センサＩＣ5の外光取り入れ口を指で所定時間塞ぐとマイコンＩＣ2の出力端子のオンオフ切り換えコマンドが立ち上がり、正面点灯制御用Ｑ１がオフして消灯し、例えば側面点灯制御用Ｑ２がオンしてＬＥＤ照明部１５Ｂの側面が点灯する。このように照明器具の点灯面切り換えも照度センサＩＣ5の外光取り入れ口を指で所定時間塞ぐことで簡単に行うことが可能となる。
【００４０】
このように、照明負荷として、器具本体の複数の点灯面に対応した複数のＬＥＤ群を備え、制御部１４Ｂは、コマンドとして複数のＬＥＤ群を切り換え制御して点灯面を変更することができる。
【００４１】
[第５の実施形態]
図１３は本発明の第５の実施形態に係る照明器具の構成を示す回路図である。本実施形態は、図１乃至図９に示した照明点灯制御方法を利用して照明負荷の点灯色切り換えを行う構成例を示している。図１０と同一部分には同一符号を付してある。
【００４２】
図１３における照明器具１０Ｃは、電源部１１と、人感検知部１２と、照度検知部１３と、制御部１４Ｃと、ＬＥＤ照明部１５Ｃとを備える。
【００４３】
図１３において、ＬＥＤ照明部１５Ｃで発光色の異なる少なくとも２種類以上の照明用ＬＥＤ群（図では４種類）を各スイッチングＭＯＳＦＥＴＱ1，Ｑ２、Ｑ3,  Ｑ4のドレインに各々接続し、スイッチ素子Ｑ1，Ｑ2，Ｑ3,  Ｑ4のゲートは制御部１４ＣのマイコンＩＣ2の出力端子に接続される。今、例えば発光色がＡのＬＥＤ群が選択されているとすると、人感検知部１２で人を検知した時点ではＱ１がオンしてＡ色点灯する。ここで例えば点灯色をＢ色に変えたい場合、照度検知部１３の照度センサＩＣ5の外光取り入れロを所定時間指で塞ぐことにより、マイコンＩＣ2に出力端子のオンオフの切り換えコマンドを立ち上げさせ、Ｑ1をオフとしＱ2をオンさせることでＬＥＤ照明部１５Ｃの点灯色を変化させることが可能となる。
【００４４】
このように、照明負荷として、複数の点灯色に対応した複数のＬＥＤ群を備え、制御部１４Ｃは、コマンドとして複数のＬＥＤ群を切り換え制御して点灯色を変更することができる。
【００４５】
その他の応用では、混色点灯が可能である。今ＡとＣが選択されていて、人感検知部１２で人を検知した時点ではＱ1、Ｑ3がオンしてＡ色及びＣ色が点灯する。ここで例えば点灯色をＣ色をＢ色に変えたい場合、照度検知部１３の照度センサ I C 5の外光取り入れ口を所定時間指で塞ぐことにより、マイコンＩＣ2に出力端子のオンオフの切り換えコマンドを立ち上げさせ、Ｑ3をオフとしＱ2をオンさせることでＬＥＤ照明部１５Ｃの点灯色の混色を変化させることが可能となる。  
このように、点灯色に対応した照明負荷を２つ以上組み合わせて混色点灯し、その点灯色の混色を変更制御することができる。
【００４６】
[第６の実施形態]
図１４は本発明の第６の実施形態に係る照明器具の外光取り入れ口の構成を示す図である。本実施形態は、図１乃至図９に示した照明点灯制御方法を利用した照明器具の照度センサヘの外光取り入れ口形状の他の構成例を示している。図１と同一部分には同一符号を付してある。
【００４７】
図１４において、(a)は照明器具の正面図の一部を示し、(b)は(a)のＡ−Ａ線断面図を示している。
【００４８】
照度センサＩＣ5の外光取り入れ口を指で押さえる場合、外光取り入れ口近辺が真平の状態では押さえ方次第で外光が漏れ込み、本件目的を達成する確立が落ちてくる。これを改善するため、外光取り入れ口を図１４の符号２５に示すようにずり鉢状に球面で窪ませると、指の曲線と合致して、確実に外光を遮断できる。すり鉢状の窪み２５の形状は必ずしも円形でなくても良い。照明器具のデザインに合わせて外形を円形以外の形状にすることは特に問題はない。
【００４９】
外光は化粧板２２に空けたすり鉢状の窪み２５及び丸穴に挿着された外光導入ガイド２１である円柱形アクリル樹脂を通過してプリント基板２３上の照度センサＩＣ5に受光される。
【００５０】
このとき、外光取り入れ口を指で押さえた場合、外光取り入れ口近辺から外光が漏れ込む恐れ少なく、確実に外光を遮断することができる。
【００５１】
以上述べた本発明の実施形態によれば、照明器具の全面または側面等に何ら操作用のツマミ類の構造物を突出することなく、照度センサの外光取り入れ口を指で塞ぐだけで段調光、点灯面切り換え、点灯色切り換え等の動作指示を行えるので、デザイン上の自由度の向上と操作用の部品を不要とするため製品コストを抑えることが可能である。
【００５２】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００５３】
１０，１０Ａ，１０Ｂ，１０Ｃ…照明器具、１１…電源部、１２…人感検知部、１３…照度検知部、１４，１４Ａ，１４Ｂ，１４Ｃ…制御部、１５，１５Ａ，１５Ｂ，１５Ｃ…ＬＥＤ照明部。
【図１】
2012084362.tif 000003
【図２】
2012084362.tif 000004
【図３】
2012084362.tif 000005
【図４】
2012084362.tif 000006
【図５】
2012084362.tif 000007
【図６】
2012084362.tif 000008
【図７】
2012084362.tif 000009
【図８】
2012084362.tif 000010
【図９】
2012084362.tif 000011
【図１０】
2012084362.tif 000012
【図１１】
2012084362.tif 000013
【図１２】
2012084362.tif 000014
【図１３】
2012084362.tif 000015
【図１４】
2012084362.tif 000016